(57)【要約】      （修正有）【課題】茶器・花器や像・人形などの骨董品や美術工芸品の種種様々のものに対応可能であり、鑑賞するために様々な角度に傾斜させても基台から載置品が外れるようなことがない観賞用展示台を提供する。【解決手段】基台２に形成されたスリット３ａに着脱自在で、かつ、摺動可能に設けられる第１の支柱部材４Ａと、基台２に形成された軸穴５に着脱自在に設けられる第１の支柱部材４Ａよりも長さの長い第２の支柱部材と備える。また、前記スリット３ａに前記第１の支柱部材４Ａを複数個取り付けて、基台２に載置される茶器等の載置品Ｓに接触するまで摺動させて支持するか、及び／又は、前記第２の支柱部材により前記載置品Ｓをその背面側から支持する。【選択図】図２
0003170760.tif 000002
【実用新案登録請求の範囲】
【請求項１】
茶器・花器や像・人形などの骨董品や美術工芸品を基台に載置して鑑賞する観賞用展示台において、
基台に形成された複数のスリットに着脱自在で、かつ、摺動可能に立設姿勢で設けられる複数の第１の支柱部材を備え、
前記第１の支柱部材を複数個取り付けて、基台に載置される茶器等の載置品に接触するまで摺動させて、前記第１の支柱部材の上方側で支持することを特徴とする観賞用展示台。
【請求項２】
茶器・花器や像・人形などの骨董品や美術工芸品を基台に載置して鑑賞する観賞用展示台において、
基台に形成されたスリットに着脱自在で、かつ、摺動可能に立設姿勢で設けられる第１の支柱部材と、基台に形成された軸穴に着脱自在に設けられる第１の支柱部材よりも長さの長い第２の支柱部材と備え、
前記第１の支柱部材を複数個取り付けて、基台に載置される茶器等の載置品に接触するまで摺動させて、前記第１の支柱部材の上方側で支持するか、及び／又は、前記第２の支柱部材により前記載置品をその背面側から支持することを特徴とする観賞用展示台。
【請求項３】
茶器・花器や像・人形などの骨董品や美術工芸品を基台に載置して鑑賞する観賞用展示台において、
基台に形成されたスリットに着脱自在で、かつ、摺動可能に立設姿勢で設けられる第１の支柱部材と、基台に形成されたスリットに着脱自在で、かつ摺動自在に設けられる第１の支柱部材よりも長さの長い第２の支柱部材と備え、
前記スリットに前記第１の支柱部材を複数個取り付けて、基台に載置される茶器等の載置品に接触するまで摺動させて、前記第１の支柱部材の上方側で支持するか、及び／又は、前記第２の支柱部材により前記載置品をその背面側から支持することを特徴とする観賞用展示台。
【請求項４】
茶器・花器や像・人形などの骨董品や美術工芸品を基台に載置して鑑賞する観賞用展示台において、
基台に形成されたスリットに着脱自在で、かつ、摺動可能に立設姿勢で設けられる第１の支柱部材と、
基台に形成された軸穴に着脱自在に設けられる第２の支柱部材であるか、又は、基台に形成されたスリットに着脱自在で、かつ摺動自在に立設姿勢で設けられる第２の支柱部材と、
前記第２の支柱部材に取付けられて基台に載置される載置品をその背面から包囲する包囲部材であるか、又は、前記第２の支柱部材に取付けられて基台に載置される載置品をその背面から狭持する挟持部材を備え、
前記スリットに前記第１の支柱部材を複数個取り付けて、基台に載置される茶器等の載置品に接触するまで摺動させて、前記第１の支柱部材の上方側で支持するか、又は、前記第２の支柱部材を前記載置品をその背面側が立設するとともに、前記包囲部材で載置品を包囲するか、又は、前記狭持部材で載置品を狭持することを特徴とする観賞用展示台。
【請求項５】
前記第１の支柱部材と前記第２の支柱部材は、基台の背面側に及ぶような底部を有し、基台の背面側から操作することを特徴とする請求項１ないし４のいずれか１項記載の観賞用展示台。
【請求項６】
前記スリットは、その内側面に沿うように段差部が形成され、前記第１又は第２の支柱部材に、前記底部とともに嵌合する鍔部が形成されていることを特徴とする請求項５項記載の観賞用展示台。
【請求項７】
前記基台の軸穴と連続するスリットが形成されていることを特徴とする請求項２記載の観賞用展示台。
【請求項８】
前記軸穴とスリットに前記第２の支持部材が回転可能に設けられていることを特徴とすることを特徴とする請求項７記載の観賞用展示台。
【請求項９】
前記第１の支柱部材、第２の支柱部材、前記包囲部材、又は、前記接触部材に、前記基台に載置される載置品との接触を和らげる緩衝部材が着脱自在に取り付けられていることを特徴とする請求項１ないし４のいずれか１項記載の観賞用展示台。
【請求項１０】
前記第１の支柱部材と第２の支柱部材は、少なくとも２本以上の径の異なる棒状部材を有し、径の大きな棒状部材の中に径の小さな棒状部材が収まり、それら棒状部材をスリット可能に伸縮することを特徴とする請求項１ないし４のいずれか１項記載の観賞用展示台。
【考案の詳細な説明】
【技術分野】
【０００１】
本考案は、茶器・花器や像・人形などの骨董品や美術工芸品をその様々な形状に適応して支持し、鑑賞するために様々な角度に傾斜させても基台に載置した載置品が外れない観賞用展示台に関する。
【背景技術】
【０００２】
従来、茶器・花器や像・人形などの骨董品や美術工芸品を展示する展示台としては、例えば、板状の基台に１本の支柱部材が立設されて、この１本の支柱部材に継手などを取り付けて、模型（プラモデル）などが支持されて展示されるものがある（特許文献１及び２参照）。
【０００３】
また、他の従来の展示台としては、縦型のスタンド（基台）に装着されたホルダ（支柱部材）で骨董品を取り付ける展示台が提案されている（例えば、特許文献３参照）。この展示台では、縦型の基台に接した状態で骨董品が取付けられる構造のため、展示できる対象物は、時計や装飾品といった小型のものに限定されるという問題があった。また、その構造は、複雑であり且つ複数の部品を要し、コスト面でも大きな問題があった。
【０００４】
一方、他の展示台として、腕時計やブレスレットなどの宝飾品などをショウインドウや展示ケースで販売する場合に好適な展示台として、例えば特許文献３が提案され、食品模型の展示台として、特許文献４が提案されている。
【先行技術文献】
【特許文献】
【０００５】
【特許文献１】特開２００２−１７７１０７号公報
【特許文献２】特開２００３−３３４１２８号公報
【特許文献３】特開２００４−２１２２６６号公報
【特許文献４】実公平５−１４２９８号公報
【考案の概要】
【考案が解決しようとする課題】
【０００６】
ところで、茶器・花器や像・人形などの骨董品や美術工芸品を展示するものとしては、これらに見合う高価な基台（展示台）に展示される場合もあるが、従来は、骨董品や美術工芸品の場合には、その展示台としては、技術的な工夫がなされていないことが多かった。その要因としては、展示台から落下させたり外れたりすることで、損傷させてはならないことが一層強く求められることによるものと考えられる。
また、骨董品や美術工芸品と一口にいっても、背の低いものから背の高いものや、皿などのようなその鑑賞角度（載置する角度）が強く要求されるものなど種種様々なものがあり、又、比較的遠くから鑑賞する場合や、茶器等のように直接手で持って鑑賞するものなどもある。しかし、茶器等のように直接手で持って鑑賞すると、茶器等に指紋や手の汚れが付着する問題を有していた。
さらに、このような骨董品や美術工芸品等の観賞用展示台は、品評会やオークションの場所で使用されることが要求される場合があり、このため、組み立てが容易なものが更に望まれるが、このような種種の要求も満たすものは、従来なかった。
【０００７】
そこで、本考案の目的は、茶器・花器や像・人形などの骨董品や美術工芸品の種種様々のものに対応可能であり、鑑賞するために様々な角度に傾斜させても基台から載置品が外れるようなことがない観賞用展示台を提供することである。
【課題を解決するための手段】
【０００８】
本考案の観賞用展示台は、茶器・花器や像・人形などの骨董品や美術工芸品を基台に載置して鑑賞する観賞用展示台において、基台に形成された複数のスリットに着脱自在で、かつ、摺動可能に立設姿勢で設けられる複数の第１の支柱部材を備え、前記第１の支柱部材を複数個取り付けて、基台に載置される茶器等の載置品に接触するまで摺動させて、前記第１の支柱部材の上方側で支持することを特徴とする。複数の第１の支柱部材は、長さが同じでも異なるものでも良い。
【０００９】
本考案によれば、基台の所定位置に骨董品や美術工芸品などの載置品を載置して、複数の第１の支柱部材をスリットに沿って摺動させて接触させるので、骨董品や美術工芸品などの載置品に損傷を与えることがなく、最適な位置で支持して、展示台に展示することができる。この場合、第１の支柱部材は少なくとも２つ以上用いられて、それぞれの第１の支柱部材で骨董品や美術工芸品を外側から囲うように支持することが好ましい。
これより、茶器・花器や像・人形などの骨董品や美術工芸品の種種のものに対応可能であり、また、展示台を手で持つことができるので、骨董品や美術工芸品を手で持つような使用が可能であり、しかも、安定性を保ちながら、鑑賞するために様々な角度に傾斜させても基台から載置品が外れるようなことがない。
第１の支持部材の摺動動作は、その基端部側で行ない、載置品との接触は、その上方側で支持を行なうことで、載置品を移動させずに支持でき、載置品の荷重がかかっても移動するようなことはない。
【００１０】
また、本考案の観賞用展示台は、茶器・花器や像・人形などの骨董品や美術工芸品を基台に載置して鑑賞する観賞用展示台において、基台に形成されたスリットに着脱自在で、かつ、摺動可能に立設姿勢で設けられる第１の支柱部材と、基台に形成された軸穴に着脱自在に設けられる第１の支柱部材よりも長さの長い第２の支柱部材と備え、前記第１の支柱部材を複数個取り付けて、基台に載置される茶器等の載置品に接触するまで摺動させて、前記第１の支柱部材の上方側で支持するか、及び／又は、前記第２の支柱部材により前記載置品をその背面側から支持することを特徴とする。また、本考案の観賞用展示台は、茶器・花器や像・人形などの骨董品や美術工芸品を基台に載置して鑑賞する観賞用展示台において、基台に形成されたスリットに着脱自在で、かつ、摺動可能に立設姿勢で設けられる第１の支柱部材と、基台に形成されたスリットに着脱自在で、かつ摺動自在に設けられる第１の支柱部材よりも長さの長い第２の支柱部材と備え、前記スリットに前記第１の支柱部材を複数個取り付けて、基台に載置される茶器等の載置品に接触するまで摺動させて、前記第１の支柱部材の上方側で支持するか、及び／又は、前記第２の支柱部材により前記載置品をその背面側から支持することを特徴とする。
ここで、前記基台に軸穴と軸穴が複数形成され、これらの軸穴を連結するスリットが形成されているものや、前記軸穴とスリットに支持部材が回転可能に設けられていることが好ましい。
【００１１】
これら本考案によれば、例えば、載置品が皿の場合には、第２の支柱部材でその背面側から斜めに支持すると共に、第１の支柱部材で、前方側にずれないように、第２の支柱部材との間に斜めに支持することができる。また、例えば、載置品が花器の場合には、第２の支柱部材でその背面側に沿わせるように支持すると共に、第１の支柱部材で、前方側にずれないように支持することができる。
このように、第１と第２の支柱部材とを備えることにより、茶器のような背の低いものも花器や人形のような背の高いものも、さらには皿を斜めに展示させることができる。なお、複数の第１の支柱部材のみを用いて載置品に損傷を与えることがなく、最適な位置で支持して、展示台に展示させることもできる。
ここで、第２の支柱部材は、基台に形成された軸穴に取り付けられても良いし、基台に形成されたスリットに摺動可能に設けられても良く、どちらの場合でも基台に着脱自在である。
【００１２】
また、本考案の観賞用展示台は、茶器・花器や像・人形などの骨董品や美術工芸品を基台に載置して鑑賞する観賞用展示台において、基台に形成されたスリットに着脱自在で、かつ、摺動可能に立設姿勢で設けられる第１の支柱部材と、基台に形成された軸穴に着脱自在に設けられる第２の支柱部材であるか、又は、基台に形成されたスリットに着脱自在で、かつ摺動自在に立設姿勢で設けられる第２の支柱部材と、前記第２の支柱部材に取付けられて基台に載置される載置品をその背面から包囲する包囲部材であるか、又は、前記第２の支柱部材に取付けられて基台に載置される載置品をその背面から狭持する挟持部材を備え、前記スリットに前記第１の支柱部材を複数個取り付けて、基台に載置される茶器等の載置品に接触するまで摺動させて、前記第１の支柱部材の上方側で支持するか、又は、前記第２の支柱部材を前記載置品をその背面側が立設するとともに、前記包囲部材で載置品を包囲するか、又は、前記狭持部材で載置品を狭持することを特徴とする。
【００１３】
本考案によれば、例えば、載置品が像や人形（特に陶器製のように損傷するおそれのある像や人形）の場合には、前記第２の支柱部材を前記載置品に対してその背面側が立設するとともに、前記包囲部材で載置品を包囲するか、又は、前記狭持部材で載置品を狭持することにより、これら２つの固持方法の最適な方法を選択して背の高い載置品を確実に保持させることができ、斜めに鑑賞するような場合でも外れるようなことがない。
【００１４】
本考案としては、前記第１又は第２の支柱部材は、基台の背面側に突出した底部を有し、基台の背面側から操作することを特徴とすることを特徴とする。
本発明によれば、第１又は第２の支柱部材の摺動動作を基台の背面で操作できるとともに、基台の背面側おいて手で第１又は第２の支柱部材の基端側を保持したまま鑑賞することで、載置品が外れるような事態を防止することができる。そして、前記段差部の構造は、このような基台の背面側からの操作の安定性を増加させる。
【００１５】
本考案としては、前記スリットは、その内側面に沿うように段差部が形成され、前記第１又は第２の支柱部材に、前記底部とともに嵌合する鍔部が形成されていることを特徴とする。
【００１６】
本考案によれば、第１の支柱部材の先端部をスリットに簡単に嵌めたり取り外したりすることができる構造であると共に、第１又は第２の支柱部材が安定して摺動して載置品と接触して、接触した状態では、その位置が後退するようなことなく確実に支持される。
【００１７】
本考案としては、前記第１の支柱部材、第２の支柱部材、前記包囲部材、又は、前記接触部材に、前記基台に載置される載置品との接触を和らげる緩衝部材が着脱自在に取り付けられていることを特徴とする。
本考案によれば、骨董品等の載置品に緩衝部材が接することで、載置品に適度な押し付け力をかけることができ、より安定して固定させることができる。
【００１８】
本考案としては、前記第１の支柱部材と第２の支柱部材は、少なくとも２本以上の径の異なる棒状部材を有し、径の大きな棒状部材の中に径の小さな棒状部材が収まり、それら棒状部材をスリット可能に伸縮することを特徴とする。
本考案によれば、載置品が花器や像・人形などの場合において、それらの背の高さがまちまちであっても、丁度その長さに第１又は第２の支柱部材の長さを伸縮して調整することができる。
【考案の効果】
【００１９】
本考案によれば、複数の第１の支柱部材をスリットに沿って摺動させて骨董品や美術工芸品と接しさせて、支持するので、支持に際して損傷させるようなおそれが無い。一方、第２の支柱部材を使用すると、花器や像・人形のような背の高い載置品をその背面側から保持したり、又、狭持したりすることで、これら背の高い載置品を確実に支持することができる。また、皿のような斜めに鑑賞する載置品の場合は、第１の支柱部材と第２の支柱部材とを組み合わせて、第２の支柱部材に対して載置品をその背面側で支持することで、斜めに展示させることも出来る。
そして、背面側から手で操作可能であるとすると、その手の感触で支持することが出来ると共に、斜めや逆さにしたとしても載置品を落下させるようなことが無い。
【図面の簡単な説明】
【００２０】
【図１】本考案の実施形態の観賞用展示台を説明する外観斜視図である。
【図２】図１の観賞用展示台にカップが展示された状態を説明する外観斜視図である。
【図３】図１の観賞用展示台が傾いた状態を説明する図である。
【図４】本考案の他の実施形態の観賞用展示台を説明する外観斜視図である。
【図５】図４の観賞用展示台に背の高い花器が展示された状態を説明する外観斜視図である。
【図６】図４の観賞用展示台に用いられる包囲部材の平面図である。
【図７】本考案の他の実施形態の第２の支柱部材を説明する正面図である。
【図８】本考案の他の実施形態の基台を説明する平面図である。
【図９】本考案の他の実施形態（第４の実施形態）の第１の支柱部材を説明する図であり、図９（ａ）は平面図、図９（ｂ）は正面図である。
【図１０】本考案の他の実施形態の観賞用展示台に皿が展示された状態を説明する外観斜視図である。
【図１１】本考案の他の実施形態（第３の実施形態）の観賞用展示台の基台を説明する平面図である。
【図１２】本考案の第１の支持部材や第２の支持部材がキットとして販売される状態を平面図である。
【考案を実施するための形態】
【００２１】
以下、本考案を実施するための形態を図面を引用しながら説明する。
【００２２】
（第１の実施の形態）
本実施の形態の観賞用展示台１は、基台２と、基台２に形成されたスリット３ａに着脱自在に設けられる第１の支柱部材４Ａと、基台２に形成された軸穴５とを備える。基台２と第１の支柱部材４Ａは合成樹脂製であり、本実施の形態では、いずれも透明な材料で構成されている。基台２に載置する対象は、茶器・花器や像・人形などの骨董品や美術工芸品（「載置品」とも言う。）であり、これらを広く載置して鑑賞するが、本考案は、陶製のような落下すると、損傷するような載置品Ｓに好適である。
【００２３】
基台２は、載置品Ｓを載置して鑑賞する所定の厚さの合成樹脂製の板であり、本実施の形態では、円形であり、その中央に載置品Ｓを載置するための印が施されている。基台２の中央に向かって放射状のスリット（第１のスリット）３ａが形成され、このスリット３ａに第１の支柱部材４Ａが摺動可能に取り付けられている。第１の支柱部材４Ａは、合成樹脂製の棒状部材であり、底部４ｔと、その上方に鍔部４ｂとを備え、これら底部４ｔと鍔部４ｂとの間で、スリット３ａに形成された段差部３ｄを挟む。そして、第１の支柱部材４の底部４ｔは、背面側に及んでおり、この底部４ｔを背面側から指で当てて操作すると、第１の支柱部材４をスリット３ａに沿って摺動させることができる。なお、上記第１の支柱部材４の底部４ｔと鍔部４ｂを挟みこむ方向を示す印やそのための切り欠きを、第１の支柱部材４Ａに施しておくことが好ましい。このように、スリット３ａに段差部３ｄを形成、第１の支柱部材４の底部４ｔと鍔部４ｂで挟むようにし、これらが丁度噛み合うようにすると、第１の支柱部材４Ａの摺動は、やや右に行ったり左に行ったりしながら摺動し、他方、その移動を呈させても、容易には後退しない。
本実施の形態の第１の支柱部材４の底部４ｔ面と、基台２の底面２ｂとは、面一になるように形成されているが、敢えて突出させて、指での操作をより行い易くすることも可能である。また、本実施の形態では、基台２の底面２ｂにおいて、段差部３ｄを上記第１の支柱部材４の底部４ｔと鍔部４ｂで挟むことで、底面２ｂ側に第１の支柱部材４Ａを立設させることも可能である。すなわち、基台２をリバーシブルに使用可能である。また、基台２の表側からの操作を行いやすくするために、第１の支柱部材４Ａに操作部４ｓが設けられている。なお、第１の支柱部材４Ａも、第２の支柱部材４Ｂのように伸縮自在なものを使用可能である（図７参照）。そして、スリット３ａに取り付けられた第１の支柱部材４Ａは、基端側近傍（底部４ｔ，鍔部４ｂ，操作部４ｓ）を操作することでスリット３ａと摺動可能であるが、一方、他端側近傍（緩衝部材７ａが配置されてる側）を操作しても、第１の支柱部材４Ａは摺動せず動くことはない。これは、第１の支柱部材４Ａは、力学の「片持ち梁」のように、基端側近傍（底部４ｔ，鍔部４ｂ，操作部４ｓ）が基台２に対する固定端となって、先端の他端側近傍（緩衝部材７ａが配置されてる側）に力が作用すると基端側に逆方向の力が働くことで相殺し、第１の支柱部材４Ａが力方向にやや反り返ったりすることはあっても第１の支柱部材４Ａの移動が起こることはない。
【００２４】
前記スリット３ａは、中央の載置品に向かって均等間隔で形成されている。本実施の形態では、３つのスリット３ａが基台２の周縁から中央に向かって直線で円周方向において均等間隔に形成されている。これは載置品Ｓが円盤状や円筒状を想定している。スリット３ａは、基台２の周縁からではなく、基台２内の所定箇所に所定長さで形成したり、十字のようなクロス状で形成したり、円弧状に形成したりすることが可能である。
ここで、円弧状に形成させる場合としては、図８に示す構造が考えられ、中央に向かって均等間隔で円弧状のスリット１３が形成されている。スリット１３としては、第１の支柱部材４Ａの摺動は、基台２の中央への摺動が遅くなるが、他方、その移動を停止させると、上記直線の場合よりも容易には後退しない構造にできる。この直線のスリット３ａは、基台２の中央の載置品Ｓに向かって序々に幅が狭くなるように形成しても良い。また、図９（ａ）（ｂ）に示すように、前記第１の支柱部材４Ａがスリット３ａ，１３に対する所定位置で回転する構造にすることも可能である。
【００２５】
第１の支柱部材４Ａには、緩衝部材７が取り付けられている。本実施の形態の緩衝部材７は、第１の支柱部材４Ａの上方に着脱自在に装着されるが、これは載置品Ｓが茶器Ｓｔである場合を想定しているからであり、また、緩衝部材７としては、皿Ｓｄの外周辺と接触する緩衝部材７ｂを、上記第１の支柱部材４Ａに装着させて使用しても良い。これら緩衝部材７（７ａ，７ｂ）としては、茶器Ｓｔや皿Ｓｄの外周との接触のための溝や凹部を形成しても良い。これら緩衝部材７ａ，７ｂの材質としては、ゴム製やスポンジ等が好ましく、第１の支柱部材４Ａに装着させて使用させるための穴や溝が形成されて使用される。本願考案者の試作によれば、緩衝部材７ａ，７ｂは、楕円球状のゴム製で、約半分のところまで、第１の支持部材４Ａの先端部を刺し込む溝を形成すると、載置品Ｓの荷重は、緩衝部材７ａ，７ｂのゴムのみの部分（第１の支持部材４Ａの先端部）で接触するので、最も緩衝部材７ａ，７ｂの弾性力が発揮されて支持された。
【００２６】
したがって、基台２に茶器Ｓｔを載置して鑑賞する場合は、図１に示すように、先端部に緩衝部材７ａを装着した第１の支柱部材４Ａを基台２のスリット３ａに装着させて（仮止め）、基台２の中央に茶器Ｓｔを載置してから、仮止め状態の第１の支柱部材４Ａを茶器に近づけ、図２のように接触させる。近づける操作は、基台２の背面から指で第１の支柱部材４Ａの底面２ｂ面に当接させて行なうと、指で一度に皿Ｓｔの最適な位置まで移動させることができて良い。本実施の形態では、第１の支柱部材４Ａは、スリット３ａに着脱自在で、かつ、摺動可能であるから、載置品Ｓｔに徐々に接近して、そして緩衝部材７ａを介して茶器Ｓｔと接触する。
そして、段差部３ｄに対して、第１の支柱部材４Ａの基端側の部分（底部４ｔと鍔部４ｂ）を捻るようにすると、底部４ｔが段差部３ｄに対して食い込むようになり、その移動が阻止される。また、スリット３ａに取り付けられた第１の支柱部材４Ａは、基端側近傍（底部４ｔ，鍔部４ｂ，操作部４ｓ）を操作することでスリット３ａを摺動可能であるが、一方、他端側近傍（緩衝部材７ａが配置されてる側）を操作しても、第１の支柱部材４Ａはその力方向に反り返ったりすることはあっても摺動せず動くことはない。したがって、載置品Ｓが基台２上で第１の支柱部材４Ａの緩衝部材７ａに接触され最適な位置で支持された後は、次に第１の支柱部材４Ａの基端側近傍（底部４ｔ，鍔部４ｂ，操作部４ｓ）を操作しない限りは第１の支柱部材４Ａの移動が起こることはない。
これより、本実施の形態の観賞用展示台１を傾けても、逆さにしても、基台２から載置品Ｓが落ちることなく鑑賞できる（図２、図３）。この基台２を持って鑑賞すれば、茶器Ｓｔに手の指紋や汚れが付着するようなことなく、自由な角度で鑑賞することができる。  
【００２７】
（第２の実施の形態）
本実施の形態の観賞用展示台１１は、図４に示すように、前記第１の支柱部材４Ａの他に、第２の支柱部材４Ｂを使用する。第２の支柱部材４Ｂは、基台２に形成された軸穴５に着脱自在に取り付けられて使用する。本実施の形態では、第２の支柱部材４Ｂは、１個であり、軸穴５も一つであるが、各々複数個形成しても良い。第２の支柱部材４Ｂとしては、その長さが異なるものをいくつか用意しておき、交換して使用する（図１２参照）。すなわち、基台２に載置する載置品Ｓの高さに応じて交換して使用すると良い。第２の支柱部材４Ｂの端部には、ネジｎが切ってあり、基台２の穴に形成されたネジｎと螺合する。第２の支柱部材４Ｂの長さ（高さ）としては、第１の支柱部材４Ａよりも長いものが使用され、例えば、図１０に示すように、第１の支柱部材４Ａとともに、皿Ｓｄをそれら３点で固定するようにして使用する。
本実施の形態の観賞用展示台１１は、前記第２の支柱部材４Ｂに、載置品Ｓをその背面から包囲する包囲部材９であるか、又は、前記第２の支柱部材４Ａに取付けられて基台に載置される載置品Ｓをその背面から狭持する挟持部材６を備える。
すなわち、第２の支柱部材４Ｂには、載置品Ｓを包囲する包囲部材９が着脱自在に取り付けられている。包囲部材９は、第２の支柱部材４Ｂに嵌合する嵌合穴９ａを有して、２つの略円弧状の包囲部材９を有し、各々の包囲部材９（９ａ，９ｂ）は略Ｃ形状を形成し、二つを組み合わせると、円弧形状になって（符号９）、その中央の載置品Ｓを包囲する。包囲部材９は、載置品Ｓの形状や大きさに合わせて、それに合わせた包囲部材９を交換して使用する。なお、嵌合穴９ｃには、ゴム製等のパッキンを介在させても良い。
ここで、包囲部材９は、載置品Ｓと接触しないで、基台２の中心からずれたときに、飛び出さないようにするためのものであり、包囲部材９（９ａ，９ｂ）に代えて、載置品Ｓをその外周から挟み込み場合は、狭持部材１０を使用する（図１０）。狭持部材１０は、その先端部に緩衝部材７ｃが着脱自在に取り付けられて、載置品（皿Ｓｄ）Ｓと接触して、ここでは斜めに支持する。また、包囲部材には、ピアノ線を通す穴Ｐが形成されており、包囲部材９（９ａ，９ｂ）を使用しつつ、更に移動することを防止するような場合には、ピアノ線を載置品Ｓにもかけまわすようにして使用することができるようになっている。
【００２８】
したがって、基台２に、花器Ｓｋや像・人形のような背の高い載置品Ｓを載置して鑑賞する場合は、図５に示すように、包囲部材９を装着した第２の支柱部材４Ｂを基台２の軸穴５に装着させて、基台２の中央に載置品Ｓを載置してから、第２の支柱部材４Ｂを茶器Ｓｔに近づけ接触させる。なお、第２の支柱部材４Ｂとともに、上記第１の支柱部材４Ａを使用して、花器Ｓｋや像・人形の足元を支持するようにしても良い。
【００２９】
ここで、第２の支柱部材４Ｂとしては、伸縮して長さ調整可能なものにすることが可能である（図７）。すなわち、伸縮アンテナのように、２本以上の径の異なる棒状部材ａ，ｂ，ｃを有し、径の大きな棒状部材ｂの中に径の小さな棒状部材ａが収まり、それら棒状部材ａ，ｂ，ｃを縦方向にスリット可能とさせている。なお、ネジは、棒状部材ａ，ｂ，ｃの上下端のいずれにも形成されて、いずれの側を基台２の軸穴５に螺合させたり、更に延長させることも可能になっている。
したがって、基台２に載置される載置品Ｓの高さがまちまちであっても、一つの第２の支柱部材４Ｂで、その先端から他端までの長さを載置品Ｓに適応して調節して対応可能である。スリット１３の断面形状は、前述した第１のスリット３ａのように、段差部１３ｄが形成されている。
また、基台２に形成される軸穴５としては、図１１に示すように、第１のスリット３ａのようなスリット（第２のスリット）１５でも良い。第２のスリット１５は、円弧状を呈して、基台２のやや後方側に形成されている。この展示台６１では、第２のスリット１５の一端部１５ａが第２の支持部１４Ｂの底部１４ｔが嵌まる形状に形成されており、本実施の形態では、円形状に形成されてある。第２のスリット１５の一端部（軸穴１５）からスリット１３を形成したり、軸穴１５と軸穴１５との間で円弧状に連続してスリットが形成したりｄせき、第２の支持部１４Ｂは、一端部１５に嵌まった後は、他端部１５方向にスリットさせて、載置品Ｓを支持する最適な位置まで移動させることができる。
【００３０】
そして、載置品Ｓが皿Ｓｄである場合は、上記した第１の支柱部材４Ａととともに、第２の支柱部材４Ｂを使用して、皿Ｓｄを斜めに支持することができる（図１０）。すなわち、第２の支柱部材４Ｂは、皿Ｓｄの背面側を１点で支持し、第１の支柱部材４Ａは皿の前方側の２点で支持することも可能である。そして、緩衝部材７ｂとしては、皿Ｓｄの周縁を保持するようなゴム製などの部材を第２の支柱部材４Ｂの上方先端側に取り付け、また、同じく皿Ｓｄの周縁を保持するようなゴム製などの部材７ａを第１の支柱部材４Ａの下方側に取り付けるようにして、３点で支持する。なお、第２の支柱部材４Ｂの緩衝部材７ｂとしては、後述する包囲部材７ｂなどのような幅広の安定感のあるものを使用することが好ましい。
【００３１】
（第３の実施の形態）
本実施の形態は、図１１に示すように、前記第１の支柱部材４Ａが摺動するスリット１３は、基台２の中央に向かって形成されるが、前記第２の支柱部材４Ｂが摺動するスリット１３は、円形の基台２の周方向に向かって形成された基台１２である。また、上記スリット（第２のスリット）１３は、複数配置されて、各々のスリット１３に前記第２の支柱部材４Ｂが取り付けられている。このような２つの異なるスリット１３，１３を形成することで、基台２の載置された載置品Ｓに、その形状や大きさ等の相違があってもほとんどの載置品Ｓを支持することができる。
【００３２】
（第４の実施の形態）
本実施の形態は、図９（ａ）（ｂ）に示すように、基台２のスリット１３に、支柱部材１４が回転して載置品Ｓを支持するものでも良い。支柱部材１４は、スリット１３に着脱自在で、かつ、摺動するものであり、その移動した位置で回転可能である。本実施の形態の支柱部材１４は、先端部１４ａと基端部１４ｂとがＬ字状を呈しており、その先端部に緩衝部材７ｄが着脱自在に取り付けられている。支柱部材１４の基端側には、底部１４ｔと鍔部１４ｂが形成され、スリット１３の段差部１３ｄに嵌合する。このようなスリット１３と支柱部材１４は、基台２に各３つ配されて、基台２の中央に載置された載置品Ｓに向かって等間隔で配置されている。なお、このようなスリット１３の段差部１３ｄとしては、前記支柱部材１４や前記第１の支持部材４Ａの底部４ｔ，１４ｔと鍔部４ｂ，１４ｂと操作部４ｓに対応して二段の段差部として、より安定姿勢での立設と、載置品の荷重を受けたときの後退（スリットの沿っての後退）移動を防止するようにすることが可能である。
【００３３】
したがって、基台２に茶器Ｓｔを載置して鑑賞する場合は、先端部に緩衝部材１７ｃを装着した支柱部材１４を基台２のスリット１３に装着させて（仮止め）、基台２の中央に茶器Ｓｔを載置してから、仮止め状態の支柱部材１４を茶器Ｓｔに近づけ接触させる。載置品Ｓに近づける操作は、基台２の背面から指で第１の支柱部材４Ａの底面２ｂ面に当接させて行なうと、指で一度に茶器Ｓｔの最適な位置まで移動させることができて良い。本実施の形態では、支柱部材１４の先端に配される緩衝部材７ｃにより茶器Ｓｔと接触させるが、支柱部材１４は、回転するために、Ｌ字状の上腕部１４ａで茶器Ｓｔと接触して支持することも可能である。
ここで、本実施の形態では、更に、支柱部材１４の基端側１４ｂに筐体Ｂｘを取り付け、この筐体ｂｘと支柱部材１４の基端側１４ｂとの間にバネＢを介在させて、支柱部材１４が回転するとき、バネＢの付勢力に抗して、載置品Ｓと接触させ得るようにしたり（この場合の係止は、基台２の段差部３ｄに、第１の支柱部材４Ａの底部４ｔと鍔部４ｂが嵌まり込ませることで固定させる。）、逆に、常に載置品の方向にバネＢの付勢力が働くようにしたりすることもできる（図９（ｂ））。
【００３４】
このような観賞用展示台１，１１，２１，３１は、図１２に示すように、プラモデルのように、キット３１として製造されて、第１や第２の支柱部材のような各部品は、細径部分ｂから切り取って使用可能になっている。なお、符号Ｚは、組み立てに使用する工具（レンチ）であり、この工具Ｚもキット３１と組み込まれている。
したがって、梱包が容易であり、一つの型から同時に組み立てが可能であり、自宅の床の間や品評会の会場等で簡単に組み立てて使用できる。
【００３５】
以上、本実施の形態では、載置品の背の低い一例として茶器Ｓｔを挙げ、背の高い一例として花器Ｓｋや像・人形を挙げて説明するが、これらの大きさは相対的なものであって、これらに限定されるものではなく、本発明は骨董品や美術工芸品に広くて起用可能である。
【符号の説明】
【００３６】
１，１１，２１                            観賞用展示台、
２，１２                                  基台、
３ａ，１３                                スリット（第１のスリット）、
３ｂ                                      第２のスリット、
３ｄ                                      段差部、
４Ａ，１４                                支柱部材（第１の支柱部材）、
４Ｂ                                      第２の支柱部材、
４ｔ，１４ｔ                              底部、４ｂ    鍔部、４ｓ      操作部、
５，１５                                  軸穴、
７，７ａ，７ｂ，７ｃ，７ｄ                緩衝部材、
９                                        包囲部材、
１０                                      狭持部材、
Ｓ                                        載置品、
Ｓｔ                                      茶器、Ｓｄ  皿、Ｓｋ  花器（像・人形）
【図１】
0003170760.tif 000003
【図２】
0003170760.tif 000004
【図３】
0003170760.tif 000005
【図４】
0003170760.tif 000006
【図５】
0003170760.tif 000007
【図６】
0003170760.tif 000008
【図７】
0003170760.tif 000009
【図８】
0003170760.tif 000010
【図９】
0003170760.tif 000011
【図１０】
0003170760.tif 000012
【図１１】
0003170760.tif 000013
【図１２】
0003170760.tif 000014